(57)【要約】      （修正有）【課題】低騒音且つ低ギア磨耗の乗馬型運動器具を提供する。【解決手段】乗馬型運動器具は、上に座体１１が枢着されるベース１と、座体内に設けられ、モータ−２１を有し、モータ−スピンドル５３が、同軸に、それぞれ、第１、第２のギア２４，２５と噛合う双ファストウォーム２２と単ファストウォーム２３が設けられ、第２のギア２５の回転軸の外側に、偏心軸２７１がある駆動メカニズム２と、一端が、第２のギアの回転軸の外側に位置する偏心軸に枢着され、もう一端が、ベースに枢着され、上下端に、自在継手がある牽引棒と、座体の上方に設けられ、上記の第１のギア２４の回転軸の間において、能動コンロッドと、中間コンロッドが枢着される座りパッド４と、から成る。【選択図】図３
0003133030.tif 000002
【実用新案登録請求の範囲】
【請求項１】
上に座体が枢着されるベースと、
該座体内に設けられ、モータ−を有し、モータ−スピンドルが、同軸に、それぞれ、第１、第２のギアと噛合う双ファストウォームと単ファストウォームが設けられ、該第２のギアの回転軸の外側に、偏心軸がある駆動メカニズムと、
一端が、第２のギアの回転軸の外側に位置する偏心軸に枢着され、もう一端が、ベースに枢着され、上下端に、自在継手がある牽引棒と、
座体の上方に設けられ、上記の第１のギアの回転軸の間において、能動コンロッドと、中間コンロッドが枢着される座りパッドと、が含有され、
上記の構造により、モータ−が稼働すると、第２のギアと牽引棒により、座りパッドが連動されて左右へ傾斜するように搖動し、また、第１のギアと能動コンロッド及び中間コンロッドにより、座りパッドが連動されて前後へ変位するように搖動する、ことを特徴とする乗馬型運動器具。
【請求項２】
該双ファストウォームと単ファストウォームとの歯数比が、２：１であることを特徴とする請求項１に記載の乗馬型運動器具。
【請求項３】
該座りパッドの先端とベースとの間において、昇降装置が設けられ、主として、モータ−があり、一端に、座りパッドに枢着されるためのボスがあり、もう一端に、ウォームのモータ−スピンドルがあり、スピンドルが、ポケットに螺着され、該ポケットの内部に、雌ねじがあり、底端が、ベースに枢着され、これにより、モータ−の正逆回転により、モータ−スピンドルとポケットとの距離が変化され、座りパッドが連動されて上下へ変位することを特徴とする請求項１に記載の乗馬型運動器具。
【考案の詳細な説明】
【技術分野】
【０００１】
本考案は、乗馬型運動器具に関し、特に、騒音が小さく、ギア磨耗も小さく、また、昇降装置を有する構造が、比較的に簡単であるものに関する。
【背景技術】
【０００２】
乗馬動作を真似する乗馬型運動器具（平衡訓練装置とも称される）は、近来、次々に、開発され、これらの乗馬型運動器具は、駆動メカニズム部分において、ギアが互いに噛合う設計があるため、騒音が大きく、また、長期に使用すると、ギアが、噛合うことにより磨耗されて弛んでしまうため、改善しなければならない。また、従来の乗馬型運動器具の昇降装置は、モータ−で、ナットを回転するように駆動し、また、固定軸を連動させて、上下へ変位する動作が実現されるが、該ナットの歯数（或いは、ネジ）が少ないため、長期に使用されると、容易に磨耗され、そして、伝動不良になり、即ち、上下へ変位する動作が不良になる。
【考案の開示】
【考案が解決しようとする課題】
【０００３】
本考案の主な目的は、従来の諸欠点を改善できる、低騒音且つ低ギア磨耗の乗馬型運動器具を提供する。
【０００４】
本考案の他の目的は、上下に変位する動作が、より安定的であり、全体の動作が、より完全的且つ安定的である乗馬型運動器具を提供する。
【課題を解決するための手段】
【０００５】
請求項１の考案は、上に座体が枢着されるベースと、該座体内に設けられ、モータ−を有し、モータ−スピンドルが、同軸に、それぞれ、第１、第２のギアと噛合う双ファストウォームと単ファストウォームが設けられ、該第２のギアの回転軸の外側に、偏心軸がある駆動メカニズムと、一端が、第２のギアの回転軸の外側に位置する偏心軸に枢着され、もう一端が、ベースに枢着され、上下端に、自在継手がある牽引棒と、座体の上方に設けられ、上記の第１のギアの回転軸の間において、能動コンロッドと、中間コンロッドが枢着される座りパッドと、が含有され、上記の構造により、モータ−が稼働すると、第２のギアと牽引棒により、座りパッドが連動されて左右へ傾斜するように搖動し、また、第１のギアと能動コンロッド及び中間コンロッドにより、座りパッドが連動されて前後へ変位するように搖動する、ことを特徴とする乗馬型運動器具である。
【０００６】
請求項２の考案は、該双ファストウォームと単ファストウォームとの歯数比が、２：１であることを特徴とする請求項１に記載の乗馬型運動器具である。
【０００７】
請求項３の考案は、該座りパッドの先端とベースとの間において、昇降装置が設けられ、主として、モータ−があり、一端に、座りパッドに枢着されるためのボスがあり、もう一端に、ウォームのモータ−スピンドルがあり、スピンドルが、ポケットに螺着され、該ポケットの内部に、雌ねじがあり、底端が、ベースに枢着され、これにより、モータ−の正逆回転により、モータ−スピンドルとポケットとの距離が変化され、座りパッドが連動されて上下へ変位することを特徴とする請求項１に記載の乗馬型運動器具である。
【考案を実施するための最良の形態】
【０００８】
本考案は、図１〜３を参照しながら、
上に、中空のフレームである座体１１が枢着されるベース１と、
該座体１１内部に設けられ、モータ−２１を有し、モータ−２１のスピンドルが、同軸に、それぞれ、歯数比が２：１である双ファストウォーム２２と単ファストウォーム２３が設けられ、該双ファストウォーム２２と単ファストウォーム２３に、それぞれ、同じ歯数の第１、第２のギア２４、２５が噛合い、図３において、第１のギア２４の回転軸が、下軸心２６であり、第２のギア２５の回転軸が、上軸心２７であり、該上軸心２７の外側に、偏心軸２７１があり、また、該モータ−スピンドルの上下端に、それぞれ、軸受２８がある駆動メカニズム２と、
長さが調整可能で、上下端に、それぞれ、自在継手３１があり、頂端が、第２のギアの偏心軸２７１に結合され、底端が、座体１１に枢着される牽引棒３と、
座体１１の上方に位置し、その後端と座体１１との間に、中間コンロッド４１が枢着され、該中間コンロッド４１と上記の第１のギア回転軸２６との間に、能動コンロッド４２が枢着され、座りパッド４が連動されることにより、前後に変位でき、該座りパッド４の上方に、更にユーザーが座るパッド４３が固定される座りパッド４と、
該座体１１と座りパッド４の先端との間に設けられ、主として、モータ−５１があり、一端にあるボス５２が、座りパッド４に枢着され、もう一端に、ウォームのモータ−スピンドル５３が設けられ、スピンドル５３が、ポケット５４に螺着され、また、ポケット５４の内部に、雌ねじが設けられ、底端が、座体１１に枢着される昇降装置５と、が含有される。
【０００９】
上記の構造により、図４のように、使用する時、本考案に係わる乗馬型運動器具は、それぞれ、前後変位や左右傾斜搖動及び上下変位（昇降）等の動作が実現される。
【００１０】
前後変位や左右傾斜搖動：モータ−２１が稼働すると、それぞれ、双ファストウォーム２２と単ファストウォーム２３により、第１、２のギア２４、２５が連動されて同期に回転し、下軸心２６である第１のギアの回転軸により、能動コンロッド４２が連動され、中間コンロッド４１を介して、座りパッド４が連動されて前後に変位し、そのため、第１のギア２４が一周に回転すると、座りパッド４が、前後に、１回往復するように変位し、同時に、上軸心２７である第２のギア回転軸のその偏心軸２７１により、牽引棒３が連動され、牽引棒３の上下端に位置する自在継手３１を介して、同期に、座りパッド４が、左右傾斜に搖動するように連動され、そのため、第２のギア２５が一周に回転すると、座りパッド４が、在右傾斜に、１回往復するように搖動し、また、図６〜１１を参照しながら、第１、第２のギア２４、２５と噛合う双ファストウォーム２２と単ファストウォーム２３との歯数比が２：１であるため、即ち、第１のギア２４が２週を回転する時、第２のギア２５が１周だけを回転し、これにより、座りパッド４が前後に１回往復するように搖動し、座りパッド４は、一側に向かって傾斜するように搖動する。座りパッド４が、2回目に前後に往復搖動する時、座りパッド４が、もう一側に向かって傾斜搖動する。これにより、座りパッド４が、同時に前後変位そして左右傾斜等の往復作動するようになり、８文字を書くような動作が実現され、騎馬の状態を模擬できる。
【００１１】
上下変位は、主として、昇降装置２によって行われ、モータ−５１の正逆回転に基づいて、モータ−スピンドル５３が、ポケット５４から突出するか内部に内縮することにより、座りパッド４が連動されて、上下変位の動作が実現され、図4と１２のように。
【００１２】
本考案に係わる駆動メカニズム２は、ウォーム２２、２３により、それぞれ、第１、第２のギア２４、２５を駆動し、また、第１と第２のギア２４、２５とが噛合っていないため、伝動騒音が比較的に小さいだけでなく、ギアとギアとの間において、噛合い伝動による磨耗が発生しないため、従来のものより、実用的である。
【００１３】
本考案に係わる昇降機構５は、モータ−５１の正逆回転を利用して、モータ−スピンドル５３とポケット５４との相対距離を変更でき、そして、座りパッド４が連動されて上下変位する動作が実現され、そのため、確実に作動でき、また、構造が、非常に簡単であり、そして、スピンドル５３とポケット５４との螺着は、十分のネジ數により噛合うため、噛合い伝動による磨耗が、大幅に低減されるため、上下変位動作がより確実的であり、そして、より安定的である。
【図面の簡単な説明】
【００１４】
【図１】本考案の正面構造図
【図２】本考案の正面構造概念図
【図３】本考案に係わる駆動メカニズムの拡大概念図
【図４】図１の一部の拡大概念図
【図５】図４の上面構造図
【図６】本考案が前後や左右搖動する時の正面概念図１
【図７】本考案が前後や左右搖動する時の上面概念図１
【図８】本考案が前後や左右搖動する時の正面概念図２
【図９】本考案が前後や左右搖動する時の上面概念図２
【図１０】本考案が前後や左右搖動する時の正面概念図３
【図１１】本考案が前後や左右搖動する時の上面概念図３
【図１２】本考案が上下変位する時の動作概念図
【符号の説明】
【００１５】
１              ベース
１１            座体
２              駆動メカニズム
２１            モータ−
２２、２３      ウォーム
２４、２５      ギア
２６、２７      軸心
２７１          偏心軸
２８            軸受
３              牽引棒
３１            自在継手
４              座りパッド
４１            中間コンロッド
４２            能動コンロッド
４３            パッド
５              昇降装置
５１            モータ−
５２            ボス
５３            スピンドル
５４            ポケット
【図１】
0003133030.tif 000003
【図２】
0003133030.tif 000004
【図３】
0003133030.tif 000005
【図４】
0003133030.tif 000006
【図５】
0003133030.tif 000007
【図６】
0003133030.tif 000008
【図７】
0003133030.tif 000009
【図８】
0003133030.tif 000010
【図９】
0003133030.tif 000011
【図１０】
0003133030.tif 000012
【図１１】
0003133030.tif 000013
【図１２】
0003133030.tif 000014